(57)【特許請求の範囲】
【請求項１】
一対の外側寄りポケットと一対の外側寄り支脚とが形成された相対する側壁の一方の側壁、一対の内側寄りポケットと一対の内側寄り支脚とが形成された前記相対する側壁のもう一方の側壁及び前記相対する側壁の上端から外側に水平方向に延在するフランジを有する容器本体と、土手部の相対する辺部の一方の辺部に所定の間隔を置いて形成された一対の凹部と前記土手部の相対する辺部のもう一方の辺部に所定の間隔を置いて形成された一対の凹部とを有する蓋とからなる蓋付き容器において、前記一対の外側寄りポケットと一対の外側寄り支脚とが形成された前記一方の側壁側に位置する前記フランジには、前記もう一方の側壁に形成された一対の内側寄り支脚が載置される上面を有する凹部が形成されているとともに、前記一対の内側寄りポケットと一対の内側寄り支脚とが形成された前記もう一方の側壁側に位置する前記フランジには、前記一方の側壁に形成された一対の外側寄り支脚が載置される上面を有する凹部が形成されており、更に、前記蓋の土手部の一方の辺部に形成された前記凹部の底部の裏面には、ほぼＵ字状の幅狭側載置リブが垂設されているとともに、前記蓋の土手部のもう一方の辺部に形成された前記凹部の底部の裏面には、ほぼＵ字状の幅広側載置リブが垂設されており、更にまた、前記外側寄りポケット及び外側寄り支脚が位置する容器本体の半分と、前記ほぼＵ字状の幅狭側載置リブが位置する蓋の半分とが、同色に着色されているとともに、前記内側寄りポケット及び内側寄り支脚が位置する容器本体の半分と、前記ほぼＵ字状の幅広側載置リブが位置する蓋の半分とが、前記色と異なる同色に着色されており、前記容器本体の半分と前記蓋の半分同士の色が同じになるように、前記容器本体に前記蓋を被せた際には、前記ほぼＵ字状の幅狭側載置リブが、前記一方の側壁側に位置する前記フランジに形成された凹部の上面に載置されるとともに、前記ほぼＵ字状の幅狭側載置リブ内に、前記一方の側壁側のフランジに形成された凹部の上面に突設された突条が位置し、同様に、前記ほぼＵ字状の幅広側載置リブが、前記もう一方の側壁側に位置する前記フランジに形成された凹部の上面に載置されるとともに、前記ほぼＵ字状の幅広側載置リブ内に、前記もう一方の側壁側のフランジに形成された凹部の上面に突設された突条が位置するように構成されていることを特徴とする蓋付き容器。
【発明の詳細な説明】
【０００１】
【発明の属する技術分野】
本発明は、容器本体と該容器本体に被せられる蓋とからなる蓋付き容器に関するものであり、特に、容器本体は、上の容器本体が、下の容器本体に嵌合された状態、所謂、ネスティングが可能であるとともに、ネスティングの状態から、何方か一方の容器本体を、水平面上で、１８０°回転させることにより、上の容器本体が、下の容器本体に段積みされた状態、所謂、スタッキングができるように構成されているものである。
【０００２】
【従来の技術】
従来、容器本体の相対する側壁に、それぞれ、側壁の一部を外側に膨出させることにより、縦長の逆台形状に形成されたポケットを、側壁の中心線を挟んで対称に、一対、形成するとともに、一方の側壁に形成されたポケットの間隔を、もう一方の側壁に形成されたポケットの間隔より広くした容器本体が知られており、上記ポケットに対応した側壁の外壁面には、縦長の逆台形状に形成された支脚が形成されている（特開昭４７−１２１４５号公報、特開平７−３００１３５号公報等）。
【０００３】
上述した容器本体を、同じ向きで上下方向に配置するとともに、上方の容器本体を下降させると、上の容器本体の支脚が、下の容器本体のポケットに挿入されて、上の容器本体が、下の容器本体に嵌合され、所謂、ネスティングされ、また、何方か一方の容器本体を、水平面上で、１８０°回転させた後、上方の容器本体を下降させると、上の容器本体の支脚が、下の容器本体のフランジに載置され、上の容器本体が、下の容器本体に段積みされ、所謂、スタッキングされるように構成されている。また、このような容器本体は、蓋をした状態で、段積みされる。
【０００４】
【発明が解決しようとする課題】
蓋付き容器を段積みした際には、蓋を介在して、上の容器本体の支脚が、下の容器本体のフランジに載置されることが重要であるが、容器本体に被蓋される蓋の向きによっては、上の容器本体の支脚が載置された下の容器本体に被蓋された蓋の下には、下の容器本体のポケットが位置する場合があり、このような場合には、上の容器本体の支脚は、下の容器本体に被蓋された蓋のみに載置されることになる。従って、上の蓋付き容器が重かったり、多数の蓋付き容器を段積みした際には、下の容器本体に被蓋された蓋が破損したり、安定した段積みができないという問題があった。
【０００５】
本発明の目的は、上述した従来の蓋付き容器が有する課題を解決することにある。
【０００６】
【課題を解決するための手段】
本発明は、上述した目的を達成するために、一対の外側寄りポケットと一対の外側寄り支脚とが形成された相対する側壁の一方の側壁、一対の内側寄りポケットと一対の内側寄り支脚とが形成された前記相対する側壁のもう一方の側壁及び前記相対する側壁の上端から外側に水平方向に延在するフランジを有する容器本体と、土手部の相対する辺部の一方の辺部に所定の間隔を置いて形成された一対の凹部と前記土手部の相対する辺部のもう一方の辺部に所定の間隔を置いて形成された一対の凹部とを有する蓋とからなる蓋付き容器において、前記一対の外側寄りポケットと一対の外側寄り支脚とが形成された前記一方の側壁側に位置する前記フランジには、前記もう一方の側壁に形成された一対の内側寄り支脚が載置される上面を有する凹部が形成されているとともに、前記一対の内側寄りポケットと一対の内側寄り支脚とが形成された前記もう一方の側壁側に位置する前記フランジには、前記一方の側壁に形成された一対の外側寄り支脚が載置される上面を有する凹部が形成されており、更に、前記蓋の土手部の一方の辺部に形成された前記凹部の底部の裏面には、ほぼＵ字状の幅狭側載置リブが垂設されているとともに、前記蓋の土手部のもう一方の辺部に形成された前記凹部の底部の裏面には、ほぼＵ字状の幅広側載置リブが垂設されており、更にまた、前記外側寄りポケット及び外側寄り支脚が位置する容器本体の半分と、前記ほぼＵ字状の幅狭側載置リブが位置する蓋の半分とが、同色に着色されているとともに、前記内側寄りポケット及び内側寄り支脚が位置する容器本体の半分と、前記ほぼＵ字状の幅広側載置リブが位置する蓋の半分とが、前記色と異なる同色に着色されており、前記容器本体の半分と前記蓋の半分同士の色が同じになるように、前記容器本体に前記蓋を被せた際には、前記ほぼＵ字状の幅狭側載置リブが、前記一方の側壁側に位置する前記フランジに形成された凹部の上面に載置されるとともに、前記ほぼＵ字状の幅狭側載置リブ内に、前記一方の側壁側のフランジに形成された凹部の上面に突設された突条が位置し、同様に、前記ほぼＵ字状の幅広側載置リブが、前記もう一方の側壁側に位置する前記フランジに形成された凹部の上面に載置されるとともに、前記ほぼＵ字状の幅広側載置リブ内に、前記もう一方の側壁側のフランジに形成された凹部の上面に突設された突条が位置するように構成したものである。
【０００７】
【実施例】
以下に、容器本体Ｃと該容器本体Ｃに被蓋される蓋Ｒとからなる本発明の蓋付き容器の実施例について説明するが、本発明の趣旨を越えない限り何ら、本実施例に限定されるものではない。
【０００８】
先ず最初に、図１〜図７を用いて、容器本体Ｃについて説明する。
【０００９】
１は、平面形状が、ほぼ方形状の容器底部であり、容器底部１の四辺からは、外側に傾斜した側壁２ａ、２ｂ、２ｃ、２ｄが立設されている。側壁２ａ、２ｂ、２ｃ、２ｄの上端部から外側に、水平方向に延在するフランジ３が形成されており、フランジ３の先端部からは、下方に延在する折り返し壁４が垂設されている。なお、本実施例においては、一方の相対する側壁２ａ、２ｂの幅に対して、もう一方の相対する側壁２ｃ、２ｄの幅が広く形成されており、容器本体Ｃの平面形状は、ほぼ矩形状に形成されている。以下、幅の狭い方の側壁２ａ、２ｂを短辺側壁と称し、幅の広い方の側壁２ｃ、２ｄを長辺側壁と称する。
【００１０】
相対する短辺側壁２ａ、２ｂのうち、一方の側壁２ａには、短辺側壁２ａの一部を外側に膨出させることにより形成された、縦長の逆台形状に形成されたポケット５ａが、該短辺側壁２ａの中心垂線を挟んで対称に、一対、形成されている。ポケット５ａは、フランジ３から容器底部１まで延びており、上部は開放されており、また、ポケット底部は、容器底部１の延長として形成され、閉鎖されている。ポケット５ａに対応した短辺側壁２ａの外壁面には、縦長の逆台形状に形成された支脚５ｂが形成されることになる。
【００１１】
相対する短辺側壁２ａ、２ｂのうち、もう一方の短辺側壁２ｂにも、短辺側壁２ｂの一部を外側に膨出させることにより形成された、縦長の逆台形状に形成されたポケット６ａが、該短辺側壁２ｂの中心垂線を挟んで対称に、一対、形成されている。同様に、ポケット６ａは、フランジ３から容器底部１まで延びており、上部は開放されており、また、ポケット底部は、容器底部１の延長として形成され、閉鎖されている。ポケット６ａに対応した短辺側壁２ｂの外壁面には、縦長の逆台形状に形成された支脚６ｂが形成されることになる。
【００１２】
相対する短辺側壁２ａ、２ｂに、それぞれ形成されたポケット５ａ、６ａは、全く同一に形成されており、従って、短辺側壁２ａ、２ｂを外側に膨出することにより形成されたポケット５ａ、６ａに対応して、短辺側壁２ａ、２ｂの外壁面に、それぞれ形成された支脚５ｂ、６ｂも、全く同一に形成されている。支脚５ｂ、６ｂの底面５ｂ’、６ｂ’には、それぞれ、短辺側壁２ａ、２ｂに沿って、突条７、８が垂設されている。なお、容器底部１の下面には、縦横に走るリブ１ａが、所定の間隔で形成されている。
【００１３】
また、相対する短辺側壁２ａ、２ｂのうち、一方の短辺側壁２ｂに形成されたポケット６ａ及び支脚６ｂは、もう一方の短辺側壁２ａに形成されたポケット５ａ及び支脚５ｂに比べて、短辺側壁２ｂの中心垂線寄りに配置されており、もう一方の短辺側壁２ａに形成されたポケット５ａ及び支脚５ｂは、短辺側壁２ａの両端部付近に配置されている。以下、短辺側壁２ｂの中心垂線寄りに配置されたポケット６ａ及び支脚６ｂを、それぞれ、内側寄りポケット６ａ及び内側寄り支脚６ｂと称し、短辺側壁２ａの両端部付近に配置されポケット５ａ及び支脚５ｂを、それぞれ、外側寄りポケット５ａ及び外側寄り支脚５ｂと称する。
【００１４】
短辺側壁２ａの上方に位置するフランジ３には、相対する短辺側壁２ｂに形成された内側寄りポケット６ａに対応した位置に、短辺側壁２ｂに形成された内側寄り支脚６ｂが載置される凹部９が形成されており、また、凹部９の上面９ａには、短辺側壁２ａに沿って突条１０が突設されており、後述するように、容器本体Ｃをスタッキングした際には、短辺側壁２ｂに形成された内側寄り支脚６ｂの底面６ｂ’に垂設された突条８が、凹部９の上面９ａに形成された突条１０と凹部９を構成する側面９ｂとの間に位置するように構成されている。同様に、短辺側壁２ｂの上方に位置するフランジ３には、短辺側壁２ａに形成された外側寄りポケット５ａに対応した位置に、短辺側壁２ａに形成された外側寄り支脚５ｂが載置される凹部１１が形成されており、また、凹部１１の上面１１ａには、短辺側壁２ｂに沿って突条１２が突設されており、後述するように、容器本体Ｃをスタッキングした際には、短辺側壁２ａに形成された外側寄り支脚５ｂの底面５ｂ’に垂設された突条７が、凹部１１の上面１１ａに形成された突条１２と凹部１１を構成する側面１１ｂとの間に位置するように構成されている。
【００１５】
本実施例においては、一方の短辺側壁２ａの上方に位置するフランジ３に形成された凹部９間に位置するフランジ３ａ及びもう一方の短辺側壁２ｂに形成された内側寄りポケット６ａ間に位置するフランジ３ｂの幅ｗ１は、他の部分のフランジ３の幅ｗ２より広く形成されており、また、一方の短辺側壁２ａの上方に位置するフランジ３に形成された凹部９間に位置するフランジ３ａの長さｄ１は、もう一方の短辺側壁２ｂに形成された内側寄りポケット６ａ間に位置するフランジ３ｂの長さｄ２より長く形成されている。
【００１６】
また、本実施例においては、容器本体Ｃは、短辺側壁２ａ、２ｂに沿った容器本体Ｃの中心線Ｌ１を挟んで、それぞれ別々の色に着色されている。図には、容器本体Ｃの中心線Ｌ１を挟んで、一方の半分は、点が付され、もう一方の半分には、このような点が無く、点の有る無しで、色の異なる２色が表現されている。従って、長辺側壁２ｃ、２ｄを正面にして容器本体Ｃを見た場合に、長辺側壁２ｃ、２ｄの半分が、それぞれ、別々に着色されていることになる。なお、容器本体Ｃの半分の全体を着色することなく、その一部を帯状に着色することもできる。
【００１７】
なお、１３は、長辺側壁２ｃ、２ｄの外壁面の両端部付近に、適当数、形成された長辺側垂直リブであり、フランジ３の裏面から、容器本体Ｃの半分程度まで延びている。また、１４は、短辺側壁２ａ、２ｂに形成された外側寄り支脚５ｂ及び内側寄り支脚６ｂの短辺側壁２ａ、２ｂにほぼ平行な外面に形成された短辺側垂直リブであり、長辺側垂直リブ１３と同様に、フランジ３の裏面から、容器本体Ｃの半分程度まで延びている。
【００１８】
図６に示されているように、上の容器本体Ｃｕと下の容器本体Ｃｂとを、互いに、反対向き、即ち、下の容器本体Ｃｂの短辺側壁２ｂに形成された内側寄りポケット６ａ及び内側寄り支脚６ｂの上には、上の容器本体Ｃｕの短辺側壁２ａに形成された外側寄りポケット５ａ及び外側寄り支脚５ｂが位置し、また、下の容器本体Ｃｂの短辺側壁２ａに形成された外側寄りポケット５ａ及び外側寄り支脚５ｂの上には、上の容器本体Ｃｕの短辺側壁２ｂに形成された内側寄りポケット６ａ及び内側寄り支脚６ｂが位置するように、換言すれば、下の容器本体Ｃｂの一方の色の上には、上の容器本体Ｃｕの別の色が位置するように配置すると、上の容器本体Ｃｕの短辺側壁２ｂに形成された内側寄り支脚６ｂが、下の容器本体Ｃｂのフランジ３に形成された凹部９の上面９ａに載置され、また、上の容器本体Ｃｕの短辺側壁２ａに形成された外側寄り支脚５ｂが、下の容器本体Ｃｂのフランジ３に形成された凹部１１の上面１１ａに載置され、上の容器本体Ｃｕが、下の容器本体Ｃｂに段積み、即ち、スタッキングされることになる。このようにして、適宜、複数の容器本体Ｃを、段積みすることができる。
【００１９】
スタッキングの際、上述したように、上の容器本体Ｃｕの内側寄り支脚６ｂの底面６ｂ’に垂設された突条８が、下の容器本体Ｃｂの凹部９の上面９ａに形成された突条１０と凹部９を構成する側面９ｂとの間に位置し、また、上の容器本体Ｃｕの外側寄り支脚５ｂの底面５ｂ’に垂設された突条７が、下の容器本体Ｃｂの凹部１１の上面１１ａに形成された突条１２と凹部１１を構成する側面１１ｂとの間に位置するように構成されており、従って、下の容器本体Ｃｂの短辺側壁２ａ、２ｂに上方から大きな負荷がかかり、短辺側壁２ａ、２ｂの上部が離反する方向に移動しようとしても、下の容器本体Ｃｂの凹部９の上面９ａに形成された突条１０が、上の容器本体Ｃｕの内側寄り支脚６ｂの底面６ｂ’に垂設された突条８に係合し、また、下の容器本体Ｃｂの凹部９の上面９ａに形成された突条１０が、上の容器本体Ｃｕの外側寄り支脚５ｂの底面５ｂ’に垂設された突条７に係合するので、短辺側壁２ａ、２ｂの上部の離反方向への移動が抑制され、上の容器本体Ｃｕの内側寄り支脚６ｂ及び外側寄り支脚５ｂが、下の容器本体Ｃｂの凹部９、１１から外れて、下の容器本体Ｃｂ内に落ち込むようなことが防止できる。
【００２０】
また、上の容器本体Ｃｕと下の容器本体Ｃｂとを、互いに、同じ向き、即ち、下の容器本体Ｃｂの短辺側壁２ｂに形成された内側寄りポケット６ａ及び内側寄り支脚６ｂの上には、上の容器本体Ｃｕの短辺側壁２ｂに形成された内側寄りポケット６ａ及び内側寄り支脚６ｂが位置し、また、下の容器本体Ｃｂの側壁２ａに形成された外側寄りポケット５ａ及び外側寄り支脚５ｂの上には、上の容器本体Ｃｕの短辺側壁２ａに形成された外側寄りポケット５ａ及び外側寄り支脚５ｂが位置するように、換言すれば、下の容器本体Ｃｂの一方の色の上には、上の容器本体Ｃｕの一方の色、即ち、下の容器本体Ｃｂの半分の色と、上の容器本体Ｃｕの半分の色とが同じになるように配置すると、上の容器本体Ｃｕの短辺側壁２ｂに形成された内側寄り支脚６ｂが、下の容器本体Ｃｂの短辺側壁２ｂに形成された内側寄りポケット６ａに挿入され、また、上の容器本体Ｃｕの短辺側壁２ａに形成された外側寄り支脚５ｂが、下の容器本体Ｃｂの短辺側壁２ａに形成された外側寄りポケット５ａに挿入され、図７に示されているように、上の容器本体Ｃｕが、下の容器本体Ｃｂに嵌合された状態、所謂、ネスティングされることになる。
【００２１】
ネスティングの際には、上の容器本体Ｃｕの短辺側壁２ａ、２ｂ、長辺側壁２ｃ、２ｄと、下の容器本体Ｃｂの短辺側壁２ａ、２ｂ、長辺側壁２ｃ、２ｄとが当接する直前で、上の容器本体Ｃｕの長辺側壁２ｃ、２ｄの外壁面に形成された長辺側垂直リブ１３及び外側寄り支脚５ｂ及び内側寄り支脚６ｂの外面に形成された短辺側垂直リブ１４が、下の容器本体Ｃｂのフランジ３に載置されるように構成されており、従って、上の容器本体Ｃｕを、下の容器本体Ｃｂから取り出す際に、上の容器本体Ｃｕの短辺側壁２ａ、２ｂ、長辺側壁２ｃ、２ｄと、下の容器本体Ｃｂの短辺側壁２ａ、２ｂ、長辺側壁２ｃ、２ｄとが当接したために、下の容器本体Ｃｂが、上の容器本体Ｃｕと一緒に持ち上げられるようなことが防止できるように構成されている。
【００２２】
次に、図１、図８及び図９を用いて、蓋Ｒについて説明する。
【００２３】
蓋Ｒは、天板１５と、天板１５の周縁に沿って、天板１５を囲むように周状に形成された土手部１６とを有しており、土手部１６の裏面側には、周状凹部１６’が形成されている。土手部１６は、容器本体Ｃに蓋Ｒを被せた際に、容器本体Ｃの短辺側壁２ａ、２ｂ側に位置する短辺部１６ａ、１６ｂと、容器本体Ｃの長辺側壁２ｃ、２ｄ側に位置する長辺部１６ｃ、１６ｄとを有している。土手部１６の一方の短辺部１６ａには、天板１５側が開放された凹部１７が、所定の間隔を置いて、２つ形成されており、同様に、土手部１６のもう一方の短辺部１６ｂにも、天板１５側が開放された凹部１８が、所定の間隔を置いて、２つ形成されている。土手部１６の一方の短辺部１６ａに形成された凹部１７を形成する底板１７ａの上面及びもう一方の短辺部１６ｂに形成された凹部１８を形成する底板１８ａの上面とは、天板１５の上面とほぼ面一になるように形成されている。
【００２４】
土手部１６の一方の短辺部１６ａに形成された一対の凹部１７の底板１７ａの裏面には、それぞれ、ほぼＵ字状の載置リブ１９が垂設されており、一対のほぼＵ字状の載置リブ１９の相対する開放側は、必要に応じて、低いリブ１９ａで連結されている。また、土手部１６のもう一方の短辺部１６ｂに形成された一対の凹部１８の底板１８ａの裏面にも、それぞれ、ほぼＵ字状の載置リブ２０が垂設されており、一対のほぼＵ字状の載置リブ２０の長辺側壁２ｃ、２ｄ側の開放側は、必要に応じて、低いリブ２０ａで連結されている。土手部１６の一方の短辺部１６ａ側の凹部１７の底板１７ａに垂設された載置リブ１９の間隔は、土手部１６のもう一方の短辺部１６ｂ側の凹部１８の底板１８ａに垂設された載置リブ２０の間隔より狭く形成されており、便宜的に、間隔が狭い載置リブ１９を、幅狭側載置リブ１９と称し、間隔が広い載置リブ２０を、幅広側載置リブ２０と称する。なお、２１は、土手部１６の裏面側に形成された周状凹部１６’を架橋するように、蓋Ｒの裏面から垂設されたリブであり、リブ２１の下端は、土手部１６より下方に突出しないように構成されている。
【００２５】
蓋Ｒの土手部１６の一方の短辺部１６ａが、容器本体Ｃの一方の短辺側壁２ａに対応し、また、蓋Ｒの土手部１６のもう一方の短辺部１６ｂが、容器本体Ｃのもう一方の短辺側壁２ｂに対応するように、蓋Ｒを、容器本体Ｃに被せた際には、蓋Ｒの土手部１６の一方の短辺部１６ａに形成された凹部１７を形成する底板１７ａの裏面に垂設された幅狭側載置リブ１９が、容器本体Ｃの短辺側壁２ａ側のフランジ３に形成された凹部９の上面９ａに載置されるように構成されているとともに、幅狭側載置リブ１９内に、凹部９の上面９ａに突設された突条１０が位置するように構成されており、また、蓋Ｒの土手部１６のもう一方の短辺部１６ｂに形成された凹部１８を形成する底板１８ａの裏面に垂設された幅広側載置リブ２０が、容器本体Ｃの短辺側壁２ｂ側のフランジ３に形成された凹部１１の上面１１ａに載置されるように構成されているとともに、幅広側載置リブ２０内に、凹部１１の上面１１ａに突設された突条１２が位置するように構成されている。更に、蓋Ｒの凹部１７間に位置する土手部１６の短辺部１６ａの長さｄ３は、容器本体Ｃの凹部９間に位置するフランジ３ａの長さｄ１より、若干、長く、そして、蓋Ｒの凹部１８間に位置する土手部１６の短辺部１６ｂの長さｄ４も、容器本体Ｃの内側寄りポケット６ａ間に位置するフランジ３ｂの長さｄ２より、若干、長く形成されており、蓋Ｒを、容器本体Ｃに被せた際に、蓋Ｒの凹部１７間に位置する土手部１６の短辺部１６ａ及び凹部１８間に位置する土手部１６の短辺部１６ｂが、容器本体Ｃの凹部９間に位置するフランジ３ａ及び内側寄りポケット６ａ間に位置するフランジ３ｂに、当接しないように構成されている。
【００２６】
上述したとは逆に、蓋Ｒの土手部１６の一方の短辺部１６ｂが、容器本体Ｃの一方の短辺側壁２ａに対応し、また、蓋Ｒの土手部１６のもう一方の短辺部１６ａが、容器本体Ｃのもう一方の短辺側壁２ｂに対応するように、蓋Ｒを、容器本体Ｃに被せた際には、土手部１６の一方の短辺部１６ａに形成された凹部１７を形成する底板１７ａの裏面に垂設された幅狭側載置リブ１９は、容器本体Ｃの内側寄りポケット６ａの上方に位置し、また、土手部１６のもう一方の短辺部１６ｂに形成された凹部１８を形成する底板１８ａの裏面に垂設された幅広側載置リブ２０は、容器本体Ｃの外側寄りポケット５ａの上方に位置することになる。従って、蓋Ｒの土手部１６の一方の短辺部１６ａに形成された凹部１７の底板１７ａの裏面に垂設された幅狭側載置リブ１９が、容器本体Ｃの短辺側壁２ａ側のフランジ３に形成された凹部９の上面９ａに載置されるようなことはなく、また、蓋Ｒの土手部１６のもう一方の短辺部１６ｂに形成された凹部１８の底板１８ａの裏面に垂設された幅広側載置リブ２０が、容器本体Ｃの短辺側壁２ｂ側のフランジ３に形成された凹部１１の上面１１ａに載置されるようなことはない。
【００２７】
本実施例においては、上述した容器本体Ｃと同様に、蓋Ｒは、土手部１６の短辺部１６ａ、１６ｂに沿った蓋部の中心線Ｌ２を挟んで、それぞれ別々の色に着色されている。図には、蓋部の中心線Ｌ２を挟んで、一方の半分は、点が付され、もう一方の半分には、このような点が無く、点の有る無しで、異なる２色が表現されている。なお、蓋Ｒの半分の全体を着色することなく、その一部を帯状に着色することもできる。そして、外側寄りポケット５ａ及び外側寄り支脚５ｂが位置する容器本体Ｃの半分と、幅狭側載置リブ１９が位置する蓋Ｒの半分とは、同じ色に着色されており、また、内側寄りポケット６ａ及び内側寄り支脚６ｂが位置する容器本体Ｃの半分と、幅広側載置リブ２０が位置する蓋Ｒの半分とは、同じ色に着色されている。
【００２８】
上述したように、外側寄りポケット５ａ及び外側寄り支脚５ｂが位置する容器本体Ｃの半分と、幅狭側載置リブ１９が位置する蓋Ｒの半分とは、同じ色に着色されており、また、内側寄りポケット６ａ及び内側寄り支脚６ｂが位置する容器本体Ｃの半分と、幅広側載置リブ２０が位置する蓋Ｒの半分とは、同じ色に着色されているので、図１０及び図１１に示されているように、容器本体Ｃと蓋Ｒの半分部分同士の色が、同じ色になるように（点が付された容器本体Ｃと蓋Ｒの半分部分が、共に、左側に位置している図１０及び図１１に示されているように）、容器本体Ｃに蓋Ｒを被せると、蓋Ｒを形成する土手部１６の一方の短辺部１６ａに形成された凹部１７の底板１７ａの裏面に垂設された幅狭側載置リブ１９が、容器本体Ｃの短辺側壁２ａ側のフランジ３に形成された凹部９の上面９ａに載置されるとともに、幅狭側載置リブ１９内に、凹部９の上面９ａに突設された突条１０が位置し、また、蓋Ｒを形成する土手部１６のもう一方の短辺部１６ｂに形成された凹部１８の底板１８ａの裏面に垂設された幅広側載置リブ２０が、容器本体Ｃの短辺側壁２ｂ側のフランジ３に形成された凹部１１の上面１１ａに載置されるとともに、幅広側載置リブ２０内に、凹部１１の上面１１ａに突設された突条１２が位置することになる。このような状態で、更に．図１２に示されているように、蓋Ｒの上に、他の容器本体Ｃｕを、土手部１６の一方の短辺部１６ａに形成された凹部１７の底板１７ａに、上の容器本体Ｃｕの内側寄り支脚６ｂの底面６ｂ’を載置するとともに、土手部１６のもう一方の短辺部１６ｂに形成された凹部１８の底板１８ａに、上の容器本体Ｃｕの外側寄り支脚５ｂの底面５ｂ’を載置すると、蓋Ｒを介して、上の容器本体Ｃｕの内側寄り支脚６ｂ及び外側寄り支脚５ｂの真下には、それぞれ、下の容器本体Ｃｂの短辺側壁２ａ側のフランジ３に形成された凹部９の上面９ａ及び短辺側壁２ｂ側のフランジ３に形成された凹部１１の上面１１ａが位置し、従って、上の容器本体Ｃｕの内側寄り支脚６ｂ及び外側寄り支脚５ｂは、蓋Ｒを介して、下の容器本体Ｃｂの凹部９、１１の上面９ａ、１１ａに支持されるので、このような支持がない場合に比べて、蓋Ｒが下方に変形し、彎曲したり、破損するようなことがない。
【００２９】
また、蓋Ｒの凹部１７を形成する底板１７ａの裏面に垂設された幅狭側載置リブ１９内に、容器本体Ｃの凹部９の上面９ａに突設された突条１０が位置するとともに、同様に、蓋Ｒの凹部１８を形成する底板１８ａの裏面に垂設された幅広側載置リブ２０内にも、容器本体Ｃの凹部１１の上面１１ａに突設された突条１２が位置するので、容器本体Ｃに対して、蓋Ｒが水平方向に大きく移動するようなことが防止できる。
【００３０】
上述した場合と逆に、図１３及び図１４に示されているように、容器本体Ｃと蓋Ｒの半分部分同士の色が、異なった色になるように（点が付された容器本体Ｃの半分部分が、左側に位置し、点が付された蓋Ｒの半分部分が、右側に位置している図１３及び図１４に示されているように）、即ち、蓋Ｒの土手部１６の一方の短辺部１６ｂが、容器本体Ｃの一方の短辺側壁２ａに対応し、また、蓋Ｒの土手部１６のもう一方の短辺部１６ａが、容器本体Ｃのもう一方の短辺側壁２ｂに対応するように、蓋Ｒを、容器本体Ｃに被せた際には、蓋Ｒの土手部１６の一方の短辺部１６ａに形成された凹部１７の底板１７ａの裏面に垂設された幅狭側載置リブ１９は、容器本体Ｃの内側寄りポケット６ａの上方に位置し、また、蓋Ｒの土手部１６のもう一方の短辺部１６ｂに形成された凹部１８の底板１８ａの裏面に垂設された幅広側載置リブ２０は、容器本体Ｃの外側寄りポケット５ａの上方に位置することになる。このような状態で、更に．蓋Ｒの上に、他の容器本体Ｃｕを、土手部１６の一方の短辺部１６ａに形成された凹部１７の底板１７ａに、上の容器本体Ｃｕの内側寄り支脚６ｂの底面６ｂ’を載置するとともに、土手部１６のもう一方の短辺部１６ｂに形成された凹部１８の底板１８ａに、上の容器本体Ｃｕの外側寄り支脚５ｂの底面５ｂ’を載置すると、蓋Ｒを介して、上の容器本体Ｃｕの内側寄り支脚６ｂ及び外側寄り支脚５ｂの真下には、下の容器本体Ｃｂの内側寄りポケット６ａ及び外側寄りポケット５ａが位置し、従って、蓋Ｒを支える、下の容器本体Ｃｂの短辺側壁２ａ側のフランジ３に形成された凹部９の上面９ａ及び短辺側壁２ｂ側のフランジ３に形成された凹部１１の上面１１ａが存在しないので、上の容器本体Ｃｕの重さにより、蓋Ｒが下方に変形し、彎曲したり、破損する恐れがある。
【００３１】
また、蓋Ｒの凹部１７を形成する底板１７ａの裏面に垂設された幅狭側載置リブ１９内に、容器本体Ｃの凹部９の上面９ａに突設された突条１０が位置せず、同様に、蓋Ｒの凹部１８を形成する底板１８ａの裏面に垂設された幅広側載置リブ２０内に、容器本体Ｃの凹部１１の上面１１ａに突設された突条１２が位置しないので、容器本体Ｃに対して、蓋Ｒが水平方向に大きく移動し、蓋Ｒで被蓋された容器本体Ｃを、多段に高く積み重ねた際に、不安定になる。
【００３２】
上述したように、外側寄りポケット５ａ及び外側寄り支脚５ｂが位置する容器本体Ｃの半分と、幅狭側載置リブ１９が位置する蓋Ｒの半分とを、同じ色に着色するとともに、内側寄りポケット６ａ及び内側寄り支脚６ｂが位置する容器本体Ｃの半分と、幅広側載置リブ２０が位置する蓋Ｒの半分とを、同じ色に着色するように構成することにより、容器本体Ｃと蓋Ｒの半分部分同士の色が、同じ色になるように、蓋Ｒを、容器本体Ｃに被せるだけで、蓋Ｒを形成する土手部１６の一方の短辺部１６ａに形成された凹部１７の底板１７ａの裏面に垂設された幅狭側載置リブ１９が、容器本体Ｃの短辺側壁２ａ側のフランジ３に形成された凹部９の上面９ａに載置されるとともに、蓋Ｒを形成する土手部１６のもう一方の短辺部１６ｂに形成された凹部１８の底板１８ａの裏面に垂設された幅広側載置リブ２０が、容器本体Ｃの短辺側壁２ｂ側のフランジ３に形成された凹部１１の上面１１ａに載置されるので、蓋Ｒが被蓋された容器本体Ｃを、多段に積み重ねた際に、蓋Ｒが下方に変形し、彎曲したり、破損するようなことが防止できる。
【００３３】
なお、上述した実施例においては、幅狭側載置リブ１９及び幅広側載置リブ２０を、ほぼＵ字状に形成した例が示されているが、幅狭側載置リブ１９及び幅広側載置リブ２０は、このようなほぼＵ字状に限定されることなく、種々の形状の環状リブや、二の字状に配置された一対の平行なリブから構成することもできる。また、容器本体Ｃの短辺側壁２ａに形成された凹部９の上面９ａに突設された突条１０及び短辺側壁２ｂに形成された凹部１１の上面１１ａに突設された突条１２は、必要に応じて、省略することができるが、このような場合には、幅狭側載置リブ１９及び幅広側載置リブ２０は、単に、柱状リブや一本の板リブ等で構成することもできる。
【００３４】
【発明の効果】
本発明は、以上説明した構成を有しているので、以下に記載する効果を奏するものである。
【００３５】
蓋が被蓋された容器本体を、多段に積み重ねた際に、蓋が下方に変形し、彎曲したり、破損するようなことが防止できる。
【図面の簡単な説明】
【図１】図１は本発明の蓋付き容器を構成する蓋と容器本体の分解斜視図である。
【図２】図２は本発明の蓋付き容器を構成する容器本体の平面図である。
【図３】図３は本発明の蓋付き容器を構成する容器本体の左側面図である。
【図４】図４は本発明の蓋付き容器を構成する容器本体の右側面図である。
【図５】図５は本発明の蓋付き容器を構成する容器本体の底面図である。
【図６】図６は本発明の蓋付き容器を構成する容器本体のスタッキング状態を示す斜視図である。
【図７】図７は本発明の蓋付き容器を構成する容器本体のネスティング状態を示す斜視図である。
【図８】図８は本発明の蓋付き容器を構成する蓋の平面図である。
【図９】図９は本発明の蓋付き容器を構成する蓋の裏面図である。
【図１０】図１０は本発明の蓋付き容器の平面図である。
【図１１】図１１は図１０のＩ−Ｉ線に沿った垂直断面図である。
【図１２】図１２は本発明の蓋付き容器が積み重ねられた状態を示す斜視図である。
【図１３】図１３は本発明の蓋付き容器の平面図である。
【図１４】図１４は図１３のＩ−Ｉ線に沿った垂直断面図である。
【符号の説明】
Ｃ・・・・・・・・・・・・・・容器本体
Ｒ・・・・・・・・・・・・・・蓋
２ａ、２ｂ・・・・・・・・・・短辺側壁
２ｃ、２ｄ・・・・・・・・・・長辺側壁
３・・・・・・・・・・・・・・フランジ
５ａ・・・・・・・・・・・・・外側寄りポケット
６ａ・・・・・・・・・・・・・内側寄りポケット
５ｂ・・・・・・・・・・・・・外側寄り支脚
６ｂ・・・・・・・・・・・・・内側寄り支脚
９、１１・・・・・・・・・・・凹部
１６・・・・・・・・・・・・・土手部
１９・・・・・・・・・・・・・幅狭側載置リブ
２０・・・・・・・・・・・・・幅広側載置リブ
【図１】
0004089805.tif 000002
【図２】
0004089805.tif 000003
【図３】
0004089805.tif 000004
【図４】
0004089805.tif 000005
【図５】
0004089805.tif 000006
【図６】
0004089805.tif 000007
【図７】
0004089805.tif 000008
【図８】
0004089805.tif 000009
【図９】
0004089805.tif 000010
【図１０】
0004089805.tif 000011
【図１１】
0004089805.tif 000012
【図１２】
0004089805.tif 000013
【図１３】
0004089805.tif 000014
【図１４】
0004089805.tif 000015